(57)【要約】    【課題】  盗難の可能性が高い地域や、景品の大きさが変化する場合でも、全て適応 できる安価な景品獲得ゲーム機を提供することにある。    【解決手段】  景品取出し収納部の外側面に形成された景品取出し開口８に、上部を 中心とし該景品取出し収納部内空間29に向って開放可能に設けられた景品取出し扉９ を具備した景品不正取出し防止装置付き景品獲得遊戯機において、前記景品取出し扉 ９の開放限界角度を変更することが可能な開放限界角度変更手段33，34，35が設けら れた景品不正取出し防止装置付き景品獲得遊戯機である。    【選択図】  図３
2010188037.tif 000002
【特許請求の範囲】
【請求項１】
筐体内で複数の景品が展示される筐体内の景品展示部と、
該景品展示部から離れた個所に形成された景品排出口と、
該景品排出口の下方に配置された景品取出し収納部と、
前記景品展示部に展示された景品を把握して前記景品排出口から前記景品取出し収納部へ排出できる景品搬送手段と、
該景品搬送手段を遊戯者が制御する操作手段と、
前記景品取出し収納部の外側面に形成された景品取出し開口に、上部を中心とし該景品取出し収納部内空間に向って開放可能に設けられた景品取出し扉とを具備した景品不正取出し防止装置付き景品獲得遊戯機において、
前記景品取出し扉の開放限界角度を変更することが可能な開放限界角度変更手段が設けられ、
前記景品取出し扉の開放限界角度変更手段は、前記景品取出し扉の両側縁のいずれか一方または両方に隣接して、前記景品取出し収納部または前記筐体と一体の部材に、着脱可能に取付けられる扉係止手段であることを特徴とする景品不正取出し防止装置付き景品獲得遊戯機。
【請求項２】
前記景品取出し扉の開閉中心部近傍を中心とする略円弧の近傍または景品取出し扉と交差する方向に沿い間隔をおいた複数個所の内のいずれかに、着脱可能に取付けられる扉係止手段であることを特徴とする請求項１記載の景品不正取出し防止装置付き景品獲得遊戯機。
【請求項３】
前記扉係止手段は、前記景品取出し収納部または前記筐体と一体の部材に設けられた固定支持部と前記景品取出し扉に係止する係止部とよりなり、
前記係止部は前記略円弧の近傍または景品取出し扉と交差する方向に沿い位置を変えて前記固定支持部に着脱可能に装着されることを特徴とする前記請求項２記載の景品不正取出し防止装置付き景品獲得遊戯機。
【請求項４】
前記扉係止手段は、前記景品取出し扉に当接する当接部材と、該当接部材を前記固定支持部の所定個所に選択的に装着する締結部材とよりなることを特徴とする請求項３記載の景品不正取出し防止装置付き景品獲得遊戯機。
【請求項５】
前記扉係止手段はネジ部材であり、前記固定支持部は該ネジ部材と螺合可能な複数のネジ穴であることを特徴とする請求項３または請求項４記載の景品不正取出し防止装置付き景品獲得遊戯機。
【請求項６】
前記扉係止部は、前記景品取出し扉の側縁部に当接しうる当接部片と、前記景品取出し収納部の表面または前記筐体と一体の部材の表面に当接する基部片とよりなり、前記当接部片は前記基部片の下部に一体に形成され、
前記固定支持部は、前記景品取出し収納部または前記筐体と一体の部材から前記景品取出し収納部の空間に向いて突出した突出部片と、該突出部片の太さよりも大きな拡頭部片とよりなり、
前記基部片の上縁から前記当接部片に向って前記突出部片と略程度の幅の挿入切欠きが形成されるとともに該挿入切欠きの下部から前記当接部の傾斜上方に向う係止切欠きが形成され、
前記景品取出し扉が開放限界角度に開放された状態において、該景品取出し扉と当接する位置関係にて前記基部片が前記景品取出し収納部または前記筐体と一体の部材に固定支持されることを特徴とする請求項３記載の景品不正取出し防止装置付き景品獲得遊戯機。
【請求項７】
筐体内で複数の景品が展示される筐体内の景品展示部と、
該景品展示部から離れた個所に形成された景品排出口と、
該景品排出口の下方に配置された景品取出し収納部と、
前記景品展示部に展示された景品を把握して前記景品排出口から前記景品取出し収納部へ排出できる景品搬送手段と、
該景品搬送手段を遊戯者が制御する操作手段と、
前記景品取出し収納部の外側面に形成された景品取出し開口に、上部を中心とし該景品取出し収納部内空間に向って開放可能に設けられた景品取出し扉とを具備した景品不正取出し防止装置付き景品獲得遊戯機において、
前記景品取出し扉の開放限界角度を変更することが可能な開放限界角度変更手段が設けられ、
前記景品取出し扉の開放限界角度変更手段は、前記景品取出し扉の両側縁のいずれか一方または両方に隣接して、前記景品取出し収納部または前記筐体と一体の部材に、着脱可能に取付けられる扉係止手段であり、
前記景品取出し扉の両側縁にそれぞれ隣接して、前記景品取出し収納部または前記筐体と一体の部材に、該景品取出し扉の開閉中心部近傍を中心とする円弧の近傍または景品取出し扉と交差する方向に沿い間隔をおいて複数個配設された係合凹部と、
前記景品取出し扉を挟んだ相対する係合凹部の外端面よりも長い細長部材とよりなり、
前記細長部材は弾性的に伸縮可能に構成されたことを特徴とする景品不正取出し防止装置付き景品獲得遊戯機。
【請求項８】
筐体内で複数の景品が展示される筐体内の景品展示部と、
該景品展示部から離れた個所に形成された景品排出口と、
該景品排出口の下方に配置された景品取出し収納部と、
前記景品展示部に展示された景品を把握して前記景品排出口から前記景品取出し収納部へ排出できる景品搬送手段と、
該景品搬送手段を遊戯者が制御する操作手段と、
前記景品取出し収納部の外側面に形成された景品取出し開口に、上部を中心とし該景品取出し収納部内空間に向って開放可能に設けられた景品取出し扉とを具備した景品不正取出し防止装置付き景品獲得遊戯機において、
前記景品取出し扉の開放限界角度を変更することが可能な開放限界角度変更手段が設けられ、
前記景品取出し扉の開放限界角度変更手段は、前記景品取出し扉の両側縁のいずれか一方または両方に隣接して、前記景品取出し収納部または前記筐体と一体の部材に、着脱可能に取付けられる扉係止手段であり、
前記景品取出し扉の両側縁にそれぞれ隣接して、前記景品取出し収納部または前記筐体と一体の部材に、該景品取出し扉の開閉中心部近傍を中心とする円弧の近傍または景品取出し扉と交差する方向に沿い間隔をおいて複数個配設された係合凹部と、
前記景品取出し扉を挟んだ相対する係合凹部の外端面よりも長い細長部材とよりなり、
前記係合凹部は、弾性的に該係合凹部に向って押込み可能に構成されたことを特徴とする景品不正取出し防止装置付き景品獲得遊戯機。
【請求項９】
前記景品取出し扉の開放限界角度変更手段は、
該景品取出し扉の両側縁のいずれか一方または両方に隣接して、前記景品取出し収納部または前記筐体と一体の部材に、該景品取出し扉の開閉中心部近傍を中心とする略円弧の近傍または前記景品取出し扉と交差する方向に沿い間隔をおいた複数個所に配置されたソレノイドであり、該複数のソレノイドのいずれかが選択的に励磁されて、該ソレノイドの可動片が前記景品取出し扉に係合することを特徴とする請求項１記載の景品不正取出し防止装置付き景品獲得遊戯機。
【発明の詳細な説明】
【技術分野】
【０００１】
本発明は、大きさが異なる多種類の景品を交換して、筐体内に収納できる景品獲得ゲーム装置において、筐体内に収納される景品の大きさに対応して、景品取出し収納部の景品取出し開閉扉の開放限界角度を変更することが可能な景品不正取出し防止装置付き景品獲得ゲーム機に関するものである。
【背景技術】
【０００２】
自動販売機や景品獲得ゲーム機において、商品または景品の供給源と、商品または景品を取出す取出し口とが常時連通していると、取出し口から指や手を供給源に差込み、または道具を差込むことにより、商品や景品が不正に取出される惧れがあった。
【０００３】
これを防止するために、取出し口に開閉自在に設けられた取出し扉の内側に防盗扉を配設し、この取出し扉と防盗扉とをリンク機構のような連絡手段でもって連絡した自動販売機（特開平７−３３４７３８号公報）があった。
【０００４】
また、景品獲得ゲーム機で、景品取出し扉の内側に、景品不正取出し防止フラップの上端を前後に揺動可能に吊下げた景品獲得ゲーム機（特開平１１−１９２３７５号公報）があった。
【先行技術文献】
【特許文献】
【０００５】
【特許文献１】特開平７−３３４７３８号公報
【特許文献２】特開平１１−１９２３７５号公報
【発明の概要】
【発明が解決しようとする課題】
【０００６】
前記特許文献１記載の自動販売機のような払出される商品の大きさが変わらない不正取出し防止装置では、構造が複雑で、コスト高となり、また景品の大きさが大幅に変更する景品獲得ゲーム機には、特許文献１記載の不正取出し防止装置のような機構を適用できない不具合がある。
【０００７】
また、前記特許文献２記載の不正取出し装置は、大型の景品を収納した景品獲得ゲーム機に適している。
【０００８】
しかし、景品獲得ゲーム機が設置される地域によっては、遊戯施設の管理人の目の届き易い店と、目の届きにくい店があって盗難の危険性に差があり、また、プレイヤーが好む景品に流行や景気の動向に応じて景品の種類が変化し、景品の大きさが変わることがある。
【０００９】
これらの状況に全て適用しようとして、高価な電動シャッターを景品獲得ゲーム機に付設すると、遊戯施設の管理人の目の届く店や、景品の大きさに変化がない場合は、過剰な機能を備えた景品獲得ゲーム機となってコスト高となる不具合がある。
【００１０】
本願発明の解決しようとする課題は、盗難の可能性の高く、防犯性を必要とする地域や、景品の大きさが変化する場合でも、高価な電動シャッターを必要としない安価な景品獲得ゲーム機を提供することにある。
【課題を解決するための手段】
【００１１】
請求項１記載の発明は、筐体内で複数の景品が展示される筐体内の景品展示部と、該景品展示部から離れた個所に形成された景品排出口と、該景品排出口の下方に配置された景品取出し収納部と、前記景品展示部に展示された景品を把握して前記景品排出口から前記景品取出し収納部へ排出できる景品搬送手段と、該景品搬送手段を遊戯者が制御する操作手段と、前記景品取出し収納部の外側面に形成された景品取出し開口に、上部を中心とし該景品取出し収納部内空間に向って開放可能に設けられた景品取出し扉とを具備した景品不正取出し防止装置付き景品獲得遊戯機において、前記景品取出し扉の開放限界角度を変更することが可能な開放限界角度変更手段が設けられ、前記景品取出し扉の開放限界角度変更手段は、前記景品取出し扉の両側縁のいずれか一方または両方に隣接して、前記景品取出し収納部または前記筐体と一体の部材に、着脱可能に取付けられる扉係止手段であることを特徴とするものである。
【００１２】
請求項２記載の発明は、前記景品取出し扉の開閉中心部近傍を中心とする略円弧の近傍または景品取出し扉と交差する方向に沿い間隔をおいた複数個所の内のいずれかに、着脱可能に取付けられる扉係止手段であることを特徴とする請求項１記載のものである。
【００１３】
請求項３記載の発明は、前記扉係止手段は、前記景品取出し収納部または前記筐体と一体の部材に設けられた固定支持部と前記景品取出し扉に係止する係止部とよりなり、前記係止部は前記略円弧の近傍または景品取出し扉と交差する方向に沿い位置を変えて前記固定支持部に着脱可能に装着されることを特徴とする前記請求項２記載のものである。
【００１４】
請求項４記載の発明は、前記扉係止手段は、前記景品取出し扉に当接する当接部材と、該当接部材を前記固定支持部の所定個所に選択的に装着する締結部材とよりなることを特徴とする請求項３記載のものである。
【００１５】
請求項５記載の発明は、前記扉係止手段はネジ部材であり、前記固定支持部は該ネジ部材と螺合可能な複数のネジ穴であることを特徴とする請求項３または請求項４記載のものである。
【００１６】
請求項６記載の発明は、前記扉係止部は、前記景品取出し扉の側縁部に当接しうる当接部片と、前記景品取出し収納部の表面または前記筐体と一体の部材の表面に当接する基部片とよりなり、前記当接部片は前記基部片の下部に一体に形成され、前記固定支持部は、前記景品取出し収納部または前記筐体と一体の部材から前記景品取出し収納部の空間に向いて突出した突出部片と、該突出部片の太さよりも大きな拡頭部片とよりなり、前記基部片の上縁から前記当接部片に向って前記突出部片と略程度の幅の挿入切欠きが形成されるとともに該挿入切欠きの下部から前記当接部の傾斜上方に向う係止切欠きが形成され、前記景品取出し扉が開放限界角度に開放された状態において、該景品取出し扉と当接する位置関係にて前記基部片が前記景品取出し収納部または前記筐体と一体の部材に固定支持されることを特徴とする請求項３記載のものである。
【００１７】
請求項７記載の発明は、筐体内で複数の景品が展示される筐体内の景品展示部と、該景品展示部から離れた個所に形成された景品排出口と、該景品排出口の下方に配置された景品取出し収納部と、前記景品展示部に展示された景品を把握して前記景品排出口から前記景品取出し収納部へ排出できる景品搬送手段と、該景品搬送手段を遊戯者が制御する操作手段と、前記景品取出し収納部の外側面に形成された景品取出し開口に、上部を中心とし該景品取出し収納部内空間に向って開放可能に設けられた景品取出し扉とを具備した景品不正取出し防止装置付き景品獲得遊戯機において、前記景品取出し扉の開放限界角度を変更することが可能な開放限界角度変更手段が設けられ、前記景品取出し扉の開放限界角度変更手段は、前記景品取出し扉の両側縁のいずれか一方または両方に隣接して、前記景品取出し収納部または前記筐体と一体の部材に、着脱可能に取付けられる扉係止手段であり、前記景品取出し扉の両側縁にそれぞれ隣接して、前記景品取出し収納部または前記筐体と一体の部材に、該景品取出し扉の開閉中心部近傍を中心とする円弧の近傍または景品取出し扉と交差する方向に沿い間隔をおいて複数個配設された係合凹部と、前記景品取出し扉を挟んだ相対する係合凹部の外端面よりも長い細長部材とよりなり、前記細長部材は弾性的に伸縮可能に構成されたことを特徴とするものである
【００１８】
請求項８記載の発明は、筐体内で複数の景品が展示される筐体内の景品展示部と、該景品展示部から離れた個所に形成された景品排出口と、該景品排出口の下方に配置された景品取出し収納部と、前記景品展示部に展示された景品を把握して前記景品排出口から前記景品取出し収納部へ排出できる景品搬送手段と、該景品搬送手段を遊戯者が制御する操作手段と、前記景品取出し収納部の外側面に形成された景品取出し開口に、上部を中心とし該景品取出し収納部内空間に向って開放可能に設けられた景品取出し扉とを具備した景品不正取出し防止装置付き景品獲得遊戯機において、前記景品取出し扉の開放限界角度を変更することが可能な開放限界角度変更手段が設けられ、前記景品取出し扉の開放限界角度変更手段は、前記景品取出し扉の両側縁のいずれか一方または両方に隣接して、前記景品取出し収納部または前記筐体と一体の部材に、着脱可能に取付けられる扉係止手段であり、前記景品取出し扉の両側縁にそれぞれ隣接して、前記景品取出し収納部または前記筐体と一体の部材に、該景品取出し扉の開閉中心部近傍を中心とする円弧の近傍または景品取出し扉と交差する方向に沿い間隔をおいて複数個配設された係合凹部と、前記景品取出し扉を挟んだ相対する係合凹部の外端面よりも長い細長部材とよりなり、前記係合凹部は、弾性的に該係合凹部に向って押込み可能に構成されたことを特徴とするものである
【００１９】
請求項９記載の発明は、前記景品取出し扉の開放限界角度変更手段は、該景品取出し扉の両側縁のいずれか一方または両方に隣接して、前記景品取出し収納部または前記筐体と一体の部材に、該景品取出し扉の開閉中心部近傍を中心とする略円弧の近傍または前記景品取出し扉と交差する方向に沿い間隔をおいた複数個所に配置されたソレノイドであり、該複数のソレノイドのいずれかが選択的に励磁されて、該ソレノイドの可動片が前記景品取出し扉に係合することを特徴とする請求項１記載のものである。
【発明の効果】
【００２０】
請求項１記載の発明では、前記開放限界角度変更手段により、景品展示部に展示される景品の大きさに対応して、景品取出し扉の開放限界角度が変更されるため、景品展示部に展示される景品の大きさに対応して前記景品取出し扉の開放限度を容易に変更して、不正取出しを未然に阻止することが可能性が高くなる。
【００２１】
また、前記景品取出し扉の開放限界角度変更手段は、景品取出し収納部または筐体と一体の部材に着脱可能に取付けられる扉係止手段であるため、前記開放限界角度変更手段は極めて簡単な構造で足り、コストが大幅に安い。
【００２２】
請求項２記載の発明では、前記景品取出し扉の両側縁のいずれか一方または両方が前記扉係止手段に当接した場合に、該扉係止手段に当接する前記景品取出し扉の側縁の当接位置が略一定するため、この景品取出し扉の側縁当接部分と前記扉係止手段とには、景品取出し扉の開放限界角度が変わっても、略一定の力が作用し、これらが損傷しにくい。
【００２３】
請求項３記載の発明では、景品取出し収納部または筐体の強度・剛性が小さくても、前記固定支持部でもって、前記景品取出し収納部または筐体が補強・補剛されて、過剰な扉開放力に対する耐性が向上する。
【００２４】
請求項４記載の発明では、前記当接部材は前記締結手段でもって前記固定支持部に強固に装着されるので、前記当接部材を弾性に富んだ材料でもって構成することが可能となり、前記景品取出し扉を勢良く跳上げても、大きな衝撃が発生することがない。
【００２５】
請求項５記載の発明では、前記扉係止手段がネジ部材であるので、構造が極めて簡単となり、大幅なコストダウンが可能となる。
【００２６】
請求項６記載の発明では、前記係止部の基部片に形成された挿入切欠きの先端を前記固定支持部の突出部片に挿入して、該係止部を上方へ持上げた後、前記挿入切欠きの奥部に沿って前記係止部を移動させるだけで、極めて簡単な取付け作業でもって前記係止部を前記固定支持部に短時間内に容易に取付けることができる。
【００２７】
また、前述したと逆の作業を行なうことにより、前記係止部を前記固定支持部を短時間内に容易に取外すことができる。
【００２８】
請求項７記載の発明では、前記開放限界角度変更手段により、景品展示部に展示される景品の大きさに対応して、景品取出し扉の開放限界角度が変更されるため、景品展示部に展示される景品が小さくて、不正取出しを行い易い場合には、前記景品取出し扉の開放限界角度が小さくなって、不正取出しを行なうことが阻止される。
【００２９】
さらに、前記細長部材を弾性的に短縮させることにより、遊戯施設の管理者は前記細長部材を前記係合部材に短時間内に容易に取付けまたは取外しすることができるとともに、該細長部材を前記係合部材に安定して係合保持することができる。
【００３０】
請求項８記載の発明では、前記開放限界角度変更手段により、景品展示部に展示される景品の大きさに対応して、景品取出し扉の開放限界角度が変更されるため、景品展示部に展示される景品が小さくて、不正取出しを行い易い場合には、前記景品取出し扉の開放限界角度が小さくなって、不正取出しを行なうことが阻止される。
【００３１】
また、前記景品取出し扉の幅よりも長い細長部材でもって、該景品取出し扉の開放限界角度を規制限しているため、該景品取出し扉の局部的な応力集中が回避され、該景品取出し扉の破損が未然に阻止される。
【００３２】
さらに、前記係合凹部は、弾性的に該係合凹部に向って押込み可能に構成されているので、前記細長部材を前記係合部材に短時間内に容易に取付けまたは取外しすることができるとともに、該細長部材を前記係合部材に安定して係合保持することができる。
【００３３】
請求項９記載の発明では、前記複数個のソレノイドの内の１個を選択的に励磁することで、前記景品取出し扉の開放限界角度を設定することができるため、前記景品獲得遊戯機の筐体の一部を取外さずに短時間内に容易に前記景品取出し扉の開放限界角度を変更することができる。
【図面の簡単な説明】
【００３４】
【図１】本願発明の景品不正取出し防止装置付き景品獲得遊戯機の実施例１の斜視図である。
【図２】図１の要部拡大正面図である。
【図３】図２の要部縦断側面図である。
【図４】係止部34を最上段の33ｅに取付けた状態の要部縦断側面図である。
【図５】扉係止手段35の要部拡大斜視図である。
【図６】図５においてネジ孔33に係止部34を螺着した状態の縦断正面図である。
【図７】実施例２の要部縦断側面図である。
【図８】図７の要部拡大分解斜視図である。
【図９】実施例３の要部縦断側面図である。
【図１０】図９の要部拡大分解斜視図である。
【図１１】実施例４の要部縦断側面図である。
【図１２】図１１のXII−XII線に沿って切断した要部横断面図である。
【図１３】実施例５の要部縦断側面図である。
【図１４】図１３のXIV−XIV線沿って切断した要部横断面図である。
【図１５】図１３において扉係止部56を固定支持体53に取付ける作業を図示した説明図である。
【図１６】実施例６の要部縦断側面図である。
【図１７】図１６の要部斜視図である。
【図１８】図１７の要部拡大斜視図である。
【図１９】図１８の要部拡大縦断図である。
【図２０】実施例７の管体69の縦断側面図である。
【発明を実施するための形態】
【００３５】
以下、図１ないし図２０に図示された実施例１ないし実施例７について説明する。
【実施例１】
【００３６】
まず、図１ないし図６に図示された本発明の実施例１について説明する。
【００３７】
本実施例の景品獲得遊戯機は、色々な種類の景品を10としたクレーンゲーム機１であって、図１に図示されるように、直方体状（円筒体でも可）に形成され、遊戯施設等に設置される。
【００３８】
クレーンゲーム機１は、下半部の基台２と、その上方に形成された上半部の展示体３とよりなり、基台２では、直方体外周面を形成する外周壁４の頂縁に景品展示板５が張設され、景品展示板５の左手前側に景品投入開口６（図３、図４参照）が形成され、その開口縁に景品投入筒７の下端縁が一体に装着され、外周壁４の手前壁４ａの左側部において、正面視で景品投入筒７の下方に位置して景品取出し開口８が形成され、該景品取出し開口８よりも奥側でその上縁部の近くに景品取出し扉９が奥に向って開閉可能に景品取出し扉９が枢着されており、景品展示板５上に数種の縫いぐるみである景品10が載置されるようになっている。景品取出し開口８は、景品収納空間29に収納される最大の景品に対応した寸法に設定されている。
【００３９】
展示体３は、基台２の外周壁４の稜角部と、その前後中間部とに支柱11が鉛直に立設され、この支柱11の頂端に天井12が張設されるとともに、相隣する支柱11間に透明板13が張設され、これら景品展示板５、天井12および透明板13でもってプレー空間14が構成されている。
【００４０】
展示体３内のプレー空間14に天井走行型クレーン15が配設され、該天井走行型クレーン15では、左右水平方向に指向した図示されない２本の横行用固定レールがプレー空間14の頂部前後に配設されるとともに、該２本の横行レールには前後方向に指向した図示されない縦行用移動レールが架設され、該縦行用移動レールに図示されないクレーン台車が前後へ走行可能に設けられ、該クレーン台車に伸縮パイプ16の上端部が一体に装着され、該伸縮パイプ16の下端に１対の掴持爪17が開閉可能に設けられている。
【００４１】
本実施例では、景品掴持型のクレーンゲーム機１が用いられているが、他の形式の景品獲得ゲーム機であってもよい。
【００４２】
天井走行型クレーン15は景品投入筒７上方をホームポジションとして、そこから遊戯者による横行操作ボタンスイッチ19と縦行操作ボタンスイッチ20による操作に従って走行した後、掴持爪17が開放し、伸縮パイプ16が伸び、掴持爪17が閉じ、伸縮パイプ16が短縮してから、天井走行型クレーン15が前記ホームポジションに復帰し、再度掴持爪17が開放するという一連の動作によって、景品投入筒７を介して、景品10が落下した場合、景品10が景品収納空間29内の手前側に静止しうるようになっているが、景品投入筒７の位置を景品展示板５の前後左右中央に配置し、ホームポジションもこれに対応した個所としてもよい。
【００４３】
また、基台２の外周壁４の手前壁４ａの右側部には、操作ブロック18が一体に設けられ、この操作ブロック18の上面に、天井走行型クレーン15が右方向（Ｘ方向）へ走行している状態で、その右方向走行を停止できる横行操作ボタンスイッチ19と、横行操作ボタンスイッチ19によって右方向走行を停止した後、奥行方向（Ｙ方向）へ走行している状態で、その奥行方向走行を停止できる縦行操作ボタンスイッチ20とが配設されるとともに、横行操作ボタンスイッチ19と縦行操作ボタンスイッチ20との中間位置に残りゲーム回数を表示する残りゲーム回数表示器21が配設され、操作ブロック18の手前壁18ａにメダル投入口22が設けられている。
【００４４】
さらに、展示体３の支柱11の内、手前側左端の支柱11ａとその右方の支柱11ｂとの間の手前側左方の透明板13ａの左端は、手前側左端の支柱11ａに図示されないヒンジでもって前後開閉可能に枢着されるとともに、支柱11ｂに錠23が設けられており、手前側左方の13ａが閉じられた状態において、図示されないキーを錠23に差し込み、キーを回すことにより錠23を施錠すれば、手前側左方の13ａは開放不能に設定されるようになっている。
【００４５】
基台２内では、図２に図示されるように、景品投入筒７の直下の空間を挟み左右両側に、１対の仕切壁板24が鉛直に立設され、この仕切壁板24の内側面に底板25と奥側壁板26とが一体に接合され、この底板25の奥部と奥側壁板26の下部とは円弧面状に弯曲され、底板25に緩衝マット27が付設され、底板25の手前縁と景品取出し開口８の下縁とに裾板28が左右の仕切壁板24に取付けられており、これら仕切壁板24、底板25、奥側壁板26および、裾板28でもって景品収納空間29が形成されている。なお裾板28の左右両側上部には１対の軟質ゴム製緩衝パッド28ａが取付けられている。
【００４６】
また、図４に図示されるように、緩衝パッド28ａの手前側上部と奥側上部とに、水平面に対し約４５°と３０°との角度をなして手前側ガイド板30と奥側ガイド板31とが設けられ、手前側ガイド板30よりも奥側ガイド板31の方が前後幅が広くなっており、掴持爪17が景品投入筒７上方のホームポジションに復帰して掴持爪17が開放し、掴持爪17から景品10が落下した場合、景品10が景品収納空間29内の手前側に静止しうるようになっている。
【００４７】
さらに、図３を参照して、景品取出し扉９の枢着状況と形状を説明すると、景品投入開口６の手前側上縁部に、左右水平方向へ軸が向いたヒンジ９ａを介して景品取出し扉９の上端縁が奥に向って揺動し、景品取出し開口８が開放されるようになっており、景品取出し扉９が鉛直に吊下げられた状態において、景品取出し扉９の下部９ｂが裾板28と平行となるように奥に向って折り曲げられ、裾板28の緩衝パッド28ａに当接できるようになっている。
【００４８】
さらにまた、左右の仕切壁板24には、それぞれ景品取出し扉９のヒンジ９ａを中心として半径Ｒの円弧に沿い中心角がΔθの間隔毎に５個（例えば奥側ガイド板31がストッパーの役を果すならば、１個以上ならば何個でもよい）のネジ孔33が、鉛直面に対し左右同じ角度に形成され、このネジ孔33のいずれかに、頭部34ａが円柱状に形成された係止部34のネジ34ｂが着脱可能に螺着されるようになっており、仕切壁板24、ネジ孔33、係止部34でもって景品取出し扉９の開放限界角度変更手段が構成されている。
【００４９】
そして、これら仕切壁板24、ネジ孔33、係止部34が景品取出し扉９の開放限界角度変更手段である扉係止手段35を構成するには、図２に図示されるように、左右１対の仕切壁板24の内面間の距離Ａ、景品取出し扉９の左右幅Ｂ、景品取出し開口８の左右側縁間の寸法Ｃ、係止部34の頭部34ａの高さＤの間には、下記のような関係が存在する。
【００５０】
Ａ＞Ｂ＞Ｃ，
（Ａ−Ｂ）／２＜Ｄ
図１ないし図６に図示の実施形態において、遊戯施設の管理人が設定したい防犯レベルに対応して、景品取出し扉９の奥行方向への開放限界角度を設定するには、遊戯施設の管理人が、錠23を解錠して、手前側左方の透明版13ａを開放し、景品投入筒７から景品収納空間29内に手を伸ばし、左右の仕切壁板24における複数のネジ孔33内の内、景品10が最も小さい場合には、最下方の33ａに係止部34のネジ34ｂ（締結部材に相当する）を螺着する。
【００５１】
遊戯施設の管理人が設定したい防犯レベルに対応して係止部34の螺着位置を上方に設定して係止部34をネジ孔33に螺着する。
【００５２】
ネジ孔33に対する係止部34の螺着作業を終了した後、手前側左方の透明板13ａを閉じてから錠23を施錠する。
【００５３】
このように景品取出し扉９の開放限界角度が設定された後、プレイヤーがメダル投入口22にメダルを投入すると、クレーンゲーム機１は稼動状態となり、次に横行操作ボタンスイッチ19、縦行操作ボタンスイッチ20を適宜押圧操作すると、天井走行型クレーン15がプレー空間14内で右方へ稼動するとともに奥行方向へ移動して所要の個所に停止した時に、伸縮パイプ16が下方へ伸びてから１対の掴持爪17が開閉して景品10の掴持動作が行なわれた後、前述と逆の動作が実行されて、天井走行型クレーン15が景品投入筒７の上方のホームポジションに戻り、再び１対の掴持爪17が開閉する。
【００５４】
この一連の動作で、景品10が掴持爪17に掴持されてホームポジションで掴持爪17が開放した場合、景品10が景品投入筒７を通過して景品収納空間29内に景品10が落下し、景品獲得が成功する。
【００５５】
景品10が大きい場合には、図４の実線に図示するように、最上段のネジ孔33ｅに係止部34を螺着すると、景品取出し扉９を大きく開放できて、景品10を取出すことができ、景品10が小さい場合には、図４の仮想線に図示するように、最下段のネジ孔33ａに係止部34を螺着すれば、景品取出し扉９を大きく開放できなくても景品10を取出すことができる。
【００５６】
そして、開き角が小さい場合には、景品取出し扉９を大きく開放できないので、景品取出し開口８から大人が手を挿し込んで、プレー空間14内の景品10を盗むことができず、また、子供やペットが景品収納空間29内に入ることもできず、緩衝パッド28ａが汚されることもない。
【００５７】
また、手前側の手前側ガイド板30よりも奥側ガイド板31の方が幅が広いため、掴持爪17がホームポジションに戻り、景品10が落下するときに、景品10が景品収納空間29に当たり易く、景品10が緩衝パッド28ａの手前側に位置し易く、景品10を容易に取出すことが可能となる。
【００５８】
さらに、景品10が景品収納空間29の奥の方（図３、図４では右方）に転がった場合、底板25と奥側壁板26とが交叉する奥隅部が弯曲しているため、手前側に移動し易い。
【００５９】
しかも、底板25を奥に向って昇り勾配に傾斜させれば、景品10がさらに確実に手前側に移動し易くなる。
【００６０】
さらにまた、本実施例では、仕切壁板24に複数対のネジ孔33を設け、係止部34を用意すれば、扉係止手段35を構成できるので、構造が簡単であり、部品点数が少なく、コストが安い。
【実施例２】
【００６１】
次に、図７ないし図８に図示の実施例２について説明する。
【００６２】
図１ないし図６に図示の実施例１で、仕切壁板24を補強する必要がある場合には、図１ないし図６に図示の実施例における５個のネジ孔33の配列円弧に沿った形状の厚さの厚い円弧状補強帯36を形成し、ネジ孔33と同様なネジ孔37を円弧状補強帯36に該ネジ孔33と同じ間隔に設け、このネジ孔37に螺着できるボルト38（締結部材に相当する）に軟質ゴム製円筒状緩衝スリーブ39を嵌装すれば、円弧状補強帯36、ネジ孔37、ボルト38、円筒状緩衝スリーブ39でもって、図７ないし図８に図示の扉係止手段40を構成できる。
【００６３】
この扉係止手段40では、円弧状補強帯36が請求項３の固定支持部に相当し、ボルト38および円筒状緩衝スリーブ39が係止部に相当する。
【００６４】
図７ないし図８に図示の実施例においては、仕切壁板24が扉係止手段35によって補強されるため、仕切壁板24を薄くすることができるとともに、景品取出し扉９を勢い良く奥に撥ね上げても、ネジ孔37およびボルト38が仕切壁板24から脱落する惧れがない。
【００６５】
また、ボルト38に円筒状緩衝スリーブ39が嵌装されているため、景品取出し扉９を勢い良く撥ね上げて、景品取出し扉９が扉係止手段40に激突しても、大きな衝撃や騒音が発生することもない。
【実施例３】
【００６６】
第３実施形態として、図９ないし図１０に図示の扉係止手段41がある。
【００６７】
この扉係止手段41は、矩形の鋼板の略長手方向中央部を直角に折曲したものの一方の部片42ａに軟質ゴムブロック42ｂが貼着されてなる当接部材42と、該当接部材42を仕切壁板24に装着するネジであるネジ43とよりなり、このネジ43は当接部材42のネジ孔42ｃを貫通して仕切壁板24のネジ孔33に螺着され、この当接部材42とネジ43とは、請求項４における当接部材と締結部材に対応するものであり、軟質ゴムブロック42ｂは、図７ないし図８に図示の実施例２の円弧状補強帯36と同様に弾力性があるため、衝撃緩和と騒音防止の役を果すことができる。
【実施例４】
【００６８】
図１ないし図１０に図示の実施例１ないし実施例３においては、左右１対の仕切壁板24に形成されたネジ孔33は、このネジ孔33に取付けられた係止部34に係止される景品取出し扉９の長手方向には１個で、景品取出し扉９のヒンジ９ａを中心とした円弧に沿い一定間隔毎に５個形成されているが、図１１ないし図１２の実施例４では、一方の仕切壁板24に形成されるネジ孔45は、係止される景品取出し扉９のヒンジ９ａに向った放射線に沿い所定の間隔を存して２個形成され、この２個１対のネジ孔45が景品取出し扉９のヒンジ９ａを中心とする円弧に沿い一定間隔毎に３対形成され、他の仕切壁板24も一方の仕切壁板24と同様に３対のネジ孔45が形成されている。
【００６９】
３対のネジ孔45のいずれかのネジ孔45に選択的に着脱可能に取付けられる当接部材46は、前記１対のネジ孔45の間隔よりも長い矩形状の基片47と、この基片47の略中心に垂直に固着された軸48と、この軸48にその中心孔が嵌装される短円筒状緩衝リング49と、前記軸48の先端にワッシャ50を介して螺着されるナット51とよりなり、前記基片47の長手方向両端部に、２個１対のネジ孔45と同一の間隔を存して図示されない２個の孔が形成されており、この孔を貫通した締結部材であるネジ52が前記仕切壁板24に形成されたネジ孔45に螺着されることによって、当接部材46が左右１対の仕切壁板24に取付けられるようになっている。
【００７０】
図１１ないし図１２に図示された実施例４の扉係止手段44では、当接部材46が２個のネジ52によって仕切壁板24に取付けられるので、当接部材46には、景品取出し扉９の開放による衝撃を受けても、安定して強固に仕切壁板24に固定され、仕切壁板24から当接部材46が脱落する惧れがない。
【実施例５】
【００７１】
図１ないし図１２に図示の実施例１ないし実施例４においては、着脱自在に締付する締結部材に相当するネジ34ｂ、ボルト38、ネジ43、52が用いられていたが、図１３ないし図１５に図示された実施例５では、これら締結部材が用いられていない。
【００７２】
図１１ないし図１２に図示された実施例４におけるネジ孔45に対応して、前後１対で、周方向３個所に、固定支持部である複数対の固定支持体53の突出軸54（突出部片に相当する）が着脱不能に一体に取付けられ、該突出軸54の先端に拡頭部片である突出軸54が予め一体に形成されており、またアングル状の扉係止部56は、景品取出し扉９の側縁部に当接できる当接部片57と、仕切壁板24の内面に当接する基部片58と、基部片58の下面に一体に貼着された軟質ゴム製の緩衝片59とよりなり、前記基部片58には、前記１対の突出軸54の間隔と等しい間隔を存して基部片58の上端縁から直角に下方へ切込まれたＬ字状の溝60が形成されている。
【００７３】
図１３ないし図１５に図示の実施例５において、扉係止部56を固定支持体53に装着するためには、図１５の最上段に図示するように、扉係止部56の溝60の開口部を固定支持体53の突出軸54に下方から上方に向って当てがい、扉係止部56を矢印で図示するように上方へ移動させて、図１５の中段に図示するように、Ｌ字状の溝60の切曲部を固定支持体53の突出軸54に当接させ、さらに図１５の中段の部分の矢印で図示する方向へ移動させることにより、扉係止部56は自重により突出軸54に係止される結果、図１５の最下段に図示する状態を安定して固定支持体53に保持される。
【００７４】
また、前述と逆の作業を行なうことにより、扉係止部56を固定支持体53から外すことができ、さらに他の段の固定支持体53に前述の取付け作業を行なえば、他の段の固定支持体53に扉係止部56を取付けることができる。
【００７５】
この実施例５では、実施例１ないし実施例４のネジ構造物を螺回する必要がないので、景品10の大きさに対応して他の位置に短時間内に容易に変更することができる。
【実施例６】
【００７６】
図１ないし図１５に図示された実施例１ないし実施例５では、景品収納空間29の両側の仕切壁板24に対し、１対の部品群を２回の取付け・取外し作業を行なわねばならなかったが、図１６ないし図１９に図示の実施例６では、１本の細長部材、具体的には、棒61または管を用いて、１回の取付け・取外し作業を行なうだけで、細長部材である棒61を他の個所に設定できるものである。
【００７７】
景品収納空間29における左右両側の仕切壁板24ａ、24ｂの外側面には、横断面ハット状の係合部材62、係合部材63がそれぞれ一体に装着され、図１８に図示されるように、左方の係合部材62の凹部62ａには、上下２枚の仕切板64でもって、３個の空間が形成され、該３個の空間内にスライダー65が左右に摺動可能に嵌装され、該スライダー65の外側凹部65ａと、該スライダー65に対向した係合部材62の底面に一体に固着された突出軸66とにコイルスプリング67が介装されており、右方の係合部材63には、何らかの加工が施されず、また部品もない。
【００７８】
また、仕切板64で仕切られた空間の中心線を中心として、棒61の径よりも僅かに大径の円形孔68が両仕切壁板24に形成されている。
【００７９】
さらに、係合部材62の両側面部62ｂの内面頂端には、図１８に図示されるように、細長いストッパー62ｃが一体に装着されており、最上段の円形孔68に棒61が装着された場合、景品取出し扉９からの上方への撥ね上げ力に対し、スライダー65の上昇が阻止されるようになっている。
【００８０】
図１６ないし図１９に図示された実施例６では、左方の仕切壁板24ｂの円形孔68に棒61の左端を挿入して、棒61を左方へ押込むと、コイルスプリング67が短縮してスライダー65が左方へ移動し、棒61の右端を右方の仕切壁板24ａの円形孔68に当てがえば、コイルスプリング67のバネ力で棒61が右方へ移動し、棒61が左右の仕切壁板24ａ、24ｂの円形孔68に係合される。
【００８１】
また、前記扉係止手段である前記細長部材たる棒61が、前記景品取出し扉の全幅に亘り当接するため、該景品取出し扉９に加えられる開放力に対し、該景品扉取出し扉９には略均等に分散されて小さくなった応力で負担することができる結果、該景品取出し扉９は破損されにくい。
【００８２】
図１６ないし図１９の実施例６では、棒61の位置設定作業が簡単で短時間内に極めて容易に遂行することが可能となる。
【００８３】
なお、図１６ないし図１９に図示の実施例では、係合部材62の凹部62ａが上下２枚の仕切板64でもって、３個の空間に仕切られ、その仕切られた空間にそれぞれ３個のスライダー65が摺動自在に嵌装されているため、棒61の左端を左方の円形孔68に挿入し、スライダー65の外側凹部65ａに嵌合して、スライダー65を押込んだ場合に、押込み力と圧縮されたスプリング66の弾性復元力とが一直線上に位置する結果、スライダー65に偶力が働かず、押込まれたスライダー65だけが押込み方向に対し傾かないので、スライダー65に対する押込みが円滑に行なわれうる。
【００８４】
図１６ないし図１９に図示の実施例６では、仕切板64でもってスライダー65が３分割されているが、この仕切板64を排除して、１個のスライダーに構成し、スライダー65には、３個の円形孔68に対応した個所に外側凹部65ａおよび65ｂを３個所形成してもよく、略同様の効果が得られる。
【実施例７】
【００８５】
図２０に図示の実施例７では、左右の仕切壁板24ａ、24ｂには、同一の径の円形孔68のみが形成され、係合部材62、63は無くなり、管体69の一端部に突出軸70が一体に形成されるとともに、管体69の他端部には、管体69の他端から右方所定個所に仕切円板71が一体に取付けられ、仕切円板71の左方所定個所にコイルスプリング72、スライド突出軸73が順次嵌装され、管体69の他端面部69ａに円形孔68より大径の孔が形成されるとともに、スライド突出軸73の左方部分には、スライド突出軸73の右方部分73ａよりも小径でこの円形孔68に摺動自在に嵌合しうる中間軸部73ｂが形成され、さらに中間軸部73ｂよりも左側の部分には、この中間軸部73ｂよりも小径で円形孔68と同一の径の外側凹部65ａが形成されており、管体69が左右の仕切壁板24ａ、24ｂの円形孔68から外れている場合には、右方部分73ａと中間軸部73ｂの段差部73ｄが左方仕切壁板24ｂの内面に当接して、図２０に図示されている中間軸部73ｂが管体69の他端面部69ａから長く突出するようになっている。
【００８６】
図２０に図示の実施例では、管体69の左端軸部73ｃを左方の仕切壁板24ｂの円形孔68に嵌挿し、管体69を左方へ強く押すと、コイルスプリング72が圧縮されて、中間軸部73ｂの突出長さが短縮するため、管体69の突出軸70を右方の突出軸70の先端をを右方の仕切壁板24ａの左側面より左方に移動することができるので、突出軸70の先端を右方の仕切壁板24ａの円形孔68に合わせて、管体69の左方押込み力を解除すれば、コイルスプリング72のバネ力によって、突出軸70が右方の仕切壁板24ａに嵌合することができ、管体69を右方の円形孔68に装着することができる。
【００８７】
左右の円形孔68の円形孔68に管体69を装着した図２０に図示の状態で、管体69をコイルスプリング72のバネ力に打勝って左方へ強く押込めば、管体69の突出軸70は右方の仕切壁板24ａの円形孔68から外れる。その後、上下・左右いずれかの方向へ傾ければ、管体69のスライド突出軸73における左端軸部73ｃを左方の仕切壁板24ｂの円形孔68から外れ、管体69を左右仕切壁板24ａ、24ｂから取外すことができる。
【００８８】
図１６ないし図１９に図示の実施例６では、２種類の係合部材62、係合部材63を用意するとともに、スライダー65を多数個用意しなければならないが、図２０の実施例７では、１種の係合部材62を用意するだけで足り、かつスライダー65、突出軸66、コイルスプリング67を３組用意する必要がなく、１本の管体69のみで良く、構造が簡単で部品点数が少なくて良く、コストを一段と切り下げることができる。
【実施例８】
【００８９】
図１ないし図６に図示された実施例では、仕切壁板24の内面に扉係止手段35を螺着したが、仕切壁板24の外側に位置して図示されないソレノイドの出没ピンを手前側ガイド板30に嵌合しうるように、ソレノイドを装着してもよく、この実施例８では、ソレノイドを解磁させて出没ピンを手前側ガイド板30内に退入させた後、他のソレノイドを選択的に励磁させれば、所要の開放限界角度に設定することができる。
また、ソレノイドの代りにモータを配置し、モータの動作で出没ピンを出没させるものでもよい。
【００９０】
また、開放角度変更手段は、景品取出し扉９の上方に設けても良く、そうした場合、外周壁４を開放しうる遊戯施設の管理人には容易に角度変更が可能になり、一方で外周壁４を開放できないプレイヤーは、本発明の実施により景品取出し開口から開放角度変更手段の取り外し等が困難になり、よりいたずら防止の効果が生ずる。
【００９１】
以上説明した実施例では、景品10を掴持爪17で掴持して景品投入筒７内に投入するようになっているが、景品投入開口６から上方へ突出していない景品投入筒内に景品10を転がして投入する景品獲得ゲーム機でも、景品投入筒７の高さを低くすることによって、本発明を適用することもできる。
【符号の説明】
【００９２】
１…クレーンゲーム機、２…基台、３…展示体、４…外周壁、５…景品展示板、６…景品投入開口、７…景品投入筒、８…景品取出し開口、９…景品取出し扉、10…景品、11…支柱1、12…天井2、13…透明板、14…プレー空間、15…天井走行型クレーン、16…伸縮パイプ、17…掴持爪、18…操作ブロック、19…横行操作ボタンスイッチ、
20…縦行操作ボタンスイッチ、21…残りゲーム回数表示器、22…メダル投入口、23…錠、24…仕切壁板、25…底板、26…奥側壁板、27…緩衝マット、28…裾板、28ａ…緩衝パッド、
29…景品収納空間、30…手前側ガイド板、31…奥側ガイド板、33…ネジ孔、34…係止部、35…扉係止手段、36…円弧状補強帯、37…ネジ孔、38…ボルト、39…円筒状緩衝スリーブ、40…扉係止手段、41…扉係止手段、42…当接部材、43…ネジ、44…扉係止手段、45…ネジ孔、46…当接部材、47…基片、48…軸、49…短円筒状緩衝リング、50…ワッシャ、51…ナット、52…ネジ、53…固定支持体、54…突出軸、55…厚円板、56…扉係止部、57…当接部片、58…基部片、59…緩衝片、60…溝、61…棒、62…係合部材、63…係合部材、64…仕切板、65…スライダー、66…突出軸、67…コイルスプリング、68…円形孔、69…管体、70…突出軸、71…仕切円板、72…コイルスプリング、73…スライド突出軸。
【図１】
2010188037.tif 000003
【図２】
2010188037.tif 000004
【図３】
2010188037.tif 000005
【図４】
2010188037.tif 000006
【図５】
2010188037.tif 000007
【図６】
2010188037.tif 000008
【図７】
2010188037.tif 000009
【図８】
2010188037.tif 000010
【図９】
2010188037.tif 000011
【図１０】
2010188037.tif 000012
【図１１】
2010188037.tif 000013
【図１２】
2010188037.tif 000014
【図１３】
2010188037.tif 000015
【図１４】
2010188037.tif 000016
【図１５】
2010188037.tif 000017
【図１６】
2010188037.tif 000018
【図１７】
2010188037.tif 000019
【図１８】
2010188037.tif 000020
【図１９】
2010188037.tif 000021
【図２０】
2010188037.tif 000022